(57)【要約】      （修正有）【課題】液晶表示装置に備わる光学シートの熱膨張による液晶表示装置の平面方向への伸長量を、小さくして狭額縁な液晶表示装置および液晶テレビを提供する。【解決手段】液晶パネル３と光学シート６を積層し、積層した液晶パネルと光学シートを配置する液晶パネルモジュール１０と、液晶パネルモジュールの周縁部を覆うフロントキャビネット２とを少なくとも備える液晶表示装置１であって、フロントキャビネットは、光学シートの端部に対向する位置に、曲面または傾斜面から成る緩衝部２ａを備える。【選択図】図２
2014021220.tif 000002
【特許請求の範囲】
【請求項１】
液晶パネルと光学シートを積層し、前記積層した液晶パネルと光学シートを配置する液晶パネルモジュールと、液晶パネルモジュールの周縁部を覆うフロントキャビネットとを少なくとも備える液晶表示装置であって、
前記フロントキャビネットは、前記光学シートの端部に対向する位置に、曲面から成る緩衝部を備えることを特徴とする液晶表示装置。
【請求項２】
液晶パネルと光学シートを積層し、前記積層した液晶パネルと光学シートを配置する液晶パネルモジュールと、液晶パネルモジュールの周縁部を覆うフロントキャビネットとを少なくとも備える液晶表示装置であって、
前記フロントキャビネットは、前記光学シートの端部に対向する位置に、傾斜面から成る緩衝部を備えることを特徴とする液晶表示装置。
【請求項３】
前記緩衝部は、前記フロントキャビネットの内面に備わることを特徴とする請求項１または２記載の液晶表示装置。
【請求項４】
前記液晶表示装置は、前記光学シートの位置決め部を更に備え、該位置決め部に新たな緩衝部を備えることを特徴とする請求項１または２記載の液晶表示装置。
【請求項５】
前記液晶表示装置は、前記液晶パネルに光を導光する導光板を更に備えることを特徴とする請求項１から４記載の液晶表示装置。
【請求項６】
前記液晶表示装置は、前記液晶パネルに光を拡散する拡散板を更に備えることを特徴とする請求項１から４記載の液晶表示装置。
【請求項７】
前記緩衝部は、前記光学シートの熱膨張による伸長を導光板側に傾斜させることを特徴とする請求項５記載の液晶表示装置。
【請求項８】
前記緩衝部は、前記光学シートの熱膨張による伸長を拡散板側に傾斜させることを特徴とする請求項６記載の液晶表示装置。
【請求項９】
請求項１から８記載の液晶表示装置を備えることを特徴とする液晶テレビ。
【発明の詳細な説明】
【技術分野】
【０００１】
本発明は、液晶パネル用光学シートを有する液晶表示装置と液晶テレビに関する。
【背景技術】
【０００２】
液晶表示装置に内蔵される液晶パネルモジュールには、液晶パネル用光源からの光を制御して、液晶パネルへ適正に照射するための複数の光学シートが液晶パネルの裏面に積層されている。光学シートは、通常、樹脂製の薄いシートであるため、周囲温度の変化により伸縮し易く、低温で収縮し、高温で膨張する。光学シートが収縮して、光学シートの端部が画像表示領域の内側に入り込むと、画像表示領域の周辺部に光学シートのない領域が発生し、この領域に色むらが発生するする。また、逆に光学シートが膨張して周辺の部材に衝突すると光学シートが撓んでしまい、適正な光が照射されず、光学シートが撓んだ領域に色むらが発生してしまう。このため液晶パネルモジュールの設計を行う際には、低温時の収縮を考慮して、光学シートの大きさを画像表示領域よりも大きく設計し、また同時に高温時の光学シートの熱膨張も考慮して、光学シートの周縁部に配置される部材を光学シートから離して配置する。
【０００３】
近年このような液晶表示装置に対して、狭額縁化が要求されている。狭額縁化とは、画像表示領域を広く確保しつつ装置を小型化して意匠性を向上させるために、液晶パネルモジュールを取り囲む額縁と呼ばれるフロントキャビネットの画像表示領域の外周部分の幅を狭く設計するものである。
【０００４】
特許文献１には、光学シートの熱的要因による伸縮を光学シートに撓みを発生させることなく吸収しつつ、装置の狭額縁化に貢献する液晶表示装置１０１が開示されている。図１０(ａ)は、液晶表示装置１０１の断面の一部を拡大して示した部分断面図であり、図１０(ｂ)は液晶表示装置１０１が備える光学シートとシートホルダの概略構成を示した外観斜視図である。図において、１０２はベゼル、１０３は表示パネル、１０４はバックライトユニット、１０５はフレーム、１０７から１０９は光学シート、１１０はシートホルダ、１１１は拡散板、１１２は蛍光ランプ、１１３は反射シート、１１４はバックライトシャーシ、１１４ｂはバックライトシャーシの底板部、１１４ｃはバックライトシャーシの長辺側の側壁部、１１７は電極部ホルダである。特許文献１は、光透過型の表示パネル１０３の背面側に配設される平面視において四角形状を有する薄いシート状の光学シート１０７から１０９と、該光学シート１０７から１０９の周縁部に外装されるシートホルダ１１０と、表示パネル１０３に光を照射する光源とを備えたバックライトユニット１０４において、光学シート１０７から１０９のそれぞれの周縁部には、所定幅に複数の切り込みＣが入れられ、それら切り込みＣによって形成された隣接する短冊部１０７ａ、１０７ｂから１０９ａ、１０９ｂのそれぞれが互い違いに折り曲げられる。
【先行技術文献】
【特許文献】
【０００５】
【特許文献１】特開２０１０−１２３３９８号公報
【発明の概要】
【発明が解決しようとする課題】
【０００６】
特許文献１では、光学シートの周縁部に複数の切り込みを入れ、それら切り込みによって形成された短冊部を互い違いに折り曲げると共に、この短冊部にシートホルダを外装させて、光学シートの熱膨張および熱収縮による伸縮をシートホルダの内部において、光学シートに撓みを発生させることなく吸収することから、実際の光学シートの伸縮量をシートホルダ内部で小さくすることが容易であった。
【０００７】
しかしながら、特許文献１では短冊部を形成するために光学シートの周縁部に複数の切り込みを入れる加工が必要であり、更に形成した短冊部を互い違いに折り曲げる加工を必要とする課題がある。また、短冊部の伸縮量を内部で小さくするシートホルダを外装させるための余分なスペースを必要とする課題がある。
【０００８】
本発明は、上記課題を鑑み、光学シートに複雑な加工を行わず、またシートホルダを配置しないことにより狭額縁化を実現する液晶表示装置を提供するものである。
【課題を解決するための手段】
【０００９】
本発明の液晶表示装置は、液晶パネルと光学シートを積層し、前記積層した液晶パネルと光学シートを配置する液晶パネルモジュールと、液晶パネルモジュールの周縁部を覆うフロントキャビネットとを少なくとも備える液晶表示装置であり、前記フロントキャビネットは、前記光学シートの端部に対向する位置に、曲面から成る緩衝部を備えることを特徴とする。
【００１０】
液晶パネルと光学シートを積層し、前記積層した液晶パネルと光学シートを配置する液晶パネルモジュールと、液晶パネルモジュールの周縁部を覆うフロントキャビネットとを少なくとも備える液晶表示装置であり、前記フロントキャビネットは、前記光学シートの端部に対向する位置に、傾斜面から成る緩衝部を備えることを特徴とする。
【００１１】
また上記液晶表示装置の緩衝部は、前記フロントキャビネットの内面に備わることを特徴とする。また前記液晶表示装置は、前記光学シートの位置決め部を更に備え、該位置決め部に新たな緩衝部を備えることを特徴とする。また前記液晶表示装置は、前記液晶パネルに光を導光する導光板を更に備えることを特徴とする。また前記液晶表示装置は、前記液晶パネルに光を拡散する拡散板を更に備えることを特徴とする。また前記緩衝部は、前記光学シートの熱膨張による伸長を導光板側に傾斜させることを特徴とする。前記緩衝部は、前記光学シートの熱膨張による伸長を拡散板側に傾斜させることを特徴とする。
【００１２】
本発明の液晶テレビは、上記液晶表示装置を備えることを特徴とする。
【発明の効果】
【００１３】
本発明によれば、光学シートの周縁部にシートホルダを構成することなく、熱膨張による光学シートが伸長する方向を平面方向に対して傾斜させられることが可能になり、液晶表示装置の狭額縁化を実現することが可能になる。
【図面の簡単な説明】
【００１４】
【図１】本発明の第１の実施形態の液晶表示装置１の正面図。
【図２】本発明の第１の実施形態の液晶表示装置１の部分断面図。
【図３】本発明の第１の実施形態の液晶表示装置１が高温下に置かれ、光学シート群６が熱膨張した状態を示した図。
【図４】本発明の第１の実施形態のフロントキャビネット２を背面側から図示し、緩衝部２ａの形成例を示した図。
【図５】緩衝部２ｂを形成した本発明の第１の実施形態の液晶表示装置１の部分断面図。
【図６】本発明の第２の実施形態の液晶表示装置１の正面透視図と部分断面図。
【図７】本発明の第３の実施形態の液晶表示装置１の正面透視図。
【図８】本発明の第３の実施形態の液晶表示装置１の部分断面図。
【図９】本発明の第４の実施形態の液晶表示装置１の部分断面図。
【図１０】従来の技術に係る液晶表示装置の説明図。
【発明を実施するための形態】
【００１５】
［第１の実施形態］
本発明の第１の実施形態の液晶表示装置１を図１から図３を参照して説明する。図１は、第１の実施形態の液晶表示装置１の正面図である。本願に係る液晶表示装置は、例えば液晶テレビなどのテレビ受像機である。図１に示すように第１の実施形態の液晶表示装置１は、フロントキャビネット２、液晶パネル３、スタンド４を構成する。なおテレビ受像機の場合、少なくとも放送波を受信する受信部と電気回路、スピーカなどを更に構成する。受信部と電気回路によって、受信した放送波の復調や誤り訂正、ＭＰＥＧ復号化処理などが行われ、映像が液晶パネル３に表示され、音声がスピーカから出力される。
【００１６】
図２は、図１のＡ−Ａ’部の断面図である。この断面図の構造は、左右反転して図１のＢ−Ｂ’部にも構成されている。
【００１７】
図２で、５はバックキャビネット、６は光学シート群、７は導光板、８は反射シート、９はバックライトシャーシである。液晶パネル３、光学シート群６、導光板７、反射シート８、バックライトシャーシ９により液晶パネルモジュール１０を構成する。フロントキャビネット２は、液晶パネルモジュール１０の周縁部を覆い、バックキャビネット５は、液晶パネルモジュール１０の背面を覆う。フロントキャビネット２およびバックキャビネット５により、液晶パネルモジュール１０を挟み、螺子をバックキャビネット５側からバックライトシャーシ９を通して、フロントキャビネット２へ螺子止めし、液晶表示装置１の筐体を成す。フロントキャビネット２、バックキャビネット５およびバックライトシャーシ９は、金型により成型加工されるなどして製造される樹脂製または金属製の筺体である。
【００１８】
液晶パネル３は、矩形状の面を有する板状の部品であり、フロントキャビネット２に固定される。液晶パネル３とフロントキャビネット２の間にはクッション材が存在してもよい。液晶パネル３は、光学シート群６からの出射光をその背面から取り入れ、受信部が受信したテレビ放送に係る画像を画面に表示する。
【００１９】
光学シート群６は、合成樹脂シートであり、プリズムシート、拡散シート及び反射偏光シート、偏光板などの光学フィルム類、レンズシート、などを含む。光学シート群６は、導光板７から受けた光を均一に拡散し液晶パネル３に出射する。
【００２０】
導光板７は、矩形板状を成し、一般的にはアクリルからなる。また、他にＰＣ(Poly Carbonate)やＣＯＰ(Cyclo-OlefinPolymer)などの樹脂からなる事もある。導光板７は、液晶パネル３の周縁下辺部に配置される図示していないＬＥＤなどの光源から入射された光を内部で拡散、均一化し、光学シート群６に向かって面発光する。
【００２１】
反射シート８は、導光板７とバックライトシャーシ９との間に配設される白色樹脂、銀、アルミニウム等からなるシートである。反射シート８は、導光板７内部から後ろ側に漏れ出た光を液晶パネル側に反射することにより、ＬＥＤなどの光源からの光の利用効率を高める。
【００２２】
バックライトシャーシ９は、光学シート群６、導光板７、反射シート８などを格納し、また受信部や電源基板などがねじ止めにより固定される。
【００２３】
フロントキャビネット２は内面に曲面状をした緩衝部２ａを有している。緩衝部２ａは、フロントキャビネット２が金型加工などにより製造される際に同時に形成される。
【００２４】
図３は、第１の実施形態の液晶表示装置１が高温下に置かれ、光学シート群６が熱膨張した状態を示した図である。緩衝部２ａは、額縁の長辺方向すなわち図３の左から右方向へ伸長する光学シート群６を図３の下方向へ曲げて受け止める。これによって光学シート群６の右方向への伸長量を筺体内部で小さくすることが可能になり、液晶表示装置１の狭額縁化を実現できる。
【００２５】
図４は、フロントキャビネット２を背面側から図示し、緩衝部２ａの形成例を示したものである。第１の実施形態の液晶表示装置１では、図４(ａ)のように緩衝部２ａを内面の全体に形成してもよいし、図４(ｂ)のように分けて形成してもよい。図４(ｂ)のように形成した場合、熱膨張した光学シート群６に接触しない範囲にリブやネジのような別の部材を配置することが可能である。
【００２６】
図５は、フロントキャビネット２は内面に傾斜面状の緩衝部２ｂを有する例である。傾斜面状の緩衝部２ｂを構成しても、緩衝部２ａと同様に額縁の長辺方向すなわち図５の左から右方向へ伸長する光学シート群６を図５の下方向へ曲げて受け止めることができる。
【００２７】
なお、光学シート群６は、低温状況下で縮小する。本発明の第１の実施形態の液晶表示装置１では、光学シート群６が想定される最低温度状況下で縮小しても、光学シート群６の周縁部が液晶パネル３の内側に入り込まない大きさに設計する。そして、高温状況下で光学シート群６が膨張しても、緩衝部２ａや緩衝部２ｂが光学シート群６を曲げて受け止め、光学シート群６に撓みを生じない最少幅に額縁の幅を設計する。
【００２８】
光学シート群６、導光板７、反射シート８などは積層されバックライトシャーシ９に格納されていることで、光学シート群６が温度変化によって伸縮しても、ある程度は撓みを防止できる構造になっている。しかし、緩衝部２ａや緩衝部２ｂが形成されていないフロントキャビネットの内面に、光学シート群６が熱膨張によって衝突すると、シート自身の熱膨張する力によって光学シート群６は撓んでしまい、光学シート群６が撓んだ部分の画像表示領域には色むらが発生してしまう。緩衝部２ａや緩衝部２ｂは、熱膨張した光学シートが衝突する際に、光学シート群６に撓みを生じないように熱膨張の力を逃がしつつ受け止めることができ、高品質な映像を表示することが可能である。
【００２９】
以上、説明したように第１の実施形態の液晶表示装置１は、フロントキャビネット２の内面に曲面状をした緩衝部２ａや傾斜面状をした緩衝部２ｂ形成し、熱膨張により伸長した光学シート群６を液晶表示装置１の背面方向へ曲げて受け止めるものである。緩衝部２ａや緩衝部２ｂをフロントキャビネット２の内面に形成するので、特許文献１のようにシートホルダを配置するスペースを必要とせず、狭額縁化を実現できる。
【００３０】
［第２の実施形態］
本発明の第２の実施形態の液晶表示装置１を図６に示し説明する。なお図６で第１の実施形態と同じ構成については、同一の符号を付し説明を省略する。図６(ａ)は、第２の実施形態の液晶表示装置１の正面からの透視図であり、フロントキャビネット２の内部に配置するネジ１１は点線で図示している。図６(ｂ)は、図６(ａ)のＣ−Ｃ’部の断面図である。Ａ−Ａ’部には、第１の実施形態と同様に、フロントキャビネット２の内面に緩衝部２ａまたは緩衝部２ｂを有している。
【００３１】
図６(ｂ)で１１はネジであり、ネジ１１によって、フロントキャビネット２と液晶パネル３とバックキャビネット５と光学シート群６と導光板７と反射シート８とバックライトシャーシ９とを固定する。これによって第２の実施形態の液晶表示装置１の光学シート群６の温度変化による伸縮は左側辺には生じないので、Ａ−Ａ’部側である右側辺のみに構成された緩衝部２ａにより光学シート群６の伸長を下方向へ曲げて受け止める。
【００３２】
なお第２の実施形態は、一方の側辺で光学シート群６を固定できれば良く、固定の仕方は図６(ｂ)に限定しない。例えば、液晶パネル３とバックキャビネット５と光学シート群６と導光板７と反射シート８とバックライトシャーシ９を、ネジ１１によって固定するようにしてもよい。また、ネジ１１によって直接シート群６を固定するのではなく、ネジ１１をシート端部に対向して配置し、熱膨張して光学シート群６を受け止める構造にしても良い。
【００３３】
［第３の実施形態］
第１、第２の実施形態では、フロントキャビネット２の内面に曲面状をした緩衝部２ａもしくは傾斜面状をした緩衝部２ｂを構成した。それに対して第３の実施形態は、更に別の緩衝部１２ａを構成するものである。
【００３４】
本発明の第３の実施形態の液晶表示装置１を図７、図８を参照して説明する。図７は、第３の実施形態の液晶表示装置１の正面からの透視図であり、フロントキャビネット２の内部に配置する光学シート１３は、点線で図示している。図７(ａ)は全体図、図７(ｂ)は図７(ａ)のＤ−Ｄ’部の拡大図である。第３の実施形態の液晶表示装置１では、光学シート１３の位置決めを行うために、光学シート群１３の左右の側辺に凹部１４を形成し、更にフロントキャビネット２に位置決め部１２を形成する。
【００３５】
図７(ａ)を参照して、第３の実施形態の液晶表示装置１における光学シート群１３の位置決めを説明する。光学シート群１３の荷重は、重力により図７(ａ)の下方向へ掛かる。この光学シート群１３の荷重を、フロントキャビネットに固定された位置決め部１２が、光学シート群１３の凹部１４の上部に接して支持する。このようにして、光学シート群１３の上下方向の位置決めが行われる。
【００３６】
光学シート群の位置決めが不十分であると、装置の設置場所が移動するなどした際に光学シート群１３とＬＥＤ光源との距離が場所によって一定ではなくなってしまうことがあり、画像表示領域に色むらを発生させてしまう。上述したように光学シートに凹部を設け、別部材(本実施形態では位置決め部１２と称する)を構成し、前記凹部を支持して位置決めを行って、光学シート群とＬＥＤ光源との距離を安定させる。第３の実施形態の液晶表示装置１は、図７(ａ)図８に示すようにフロントキャビネット２に形成する位置決め部１２に緩衝部１２ａを構成するものである。
【００３７】
図８は、図７のＤ−Ｄ’部の断面図である。この断面図の構造は、左右反転して図７のＥ−Ｅ’部にも構成される。図８を参照して、緩衝部１２ａを説明する。図８(ａ)は光学シート群１３が熱膨張する前の図であり、図８(ｂ)は光学シート群１３が熱膨張した後の図である。図８に示すように第３の実施形態の液晶表示装置１は、光学シート群１３が熱膨張して位置決め部１２に衝突する部分に、緩衝部２ａと同様に曲面形状を成す緩衝部１２ａを形成する。緩衝部１２ａが額縁の長辺方向すなわち図８の左から右方向へ伸長する光学シート群１３を、図８の下方向へ曲げて受け止める。なお、緩衝部１２ａを有する位置決め部１２は、フロントキャビネット２に加熱圧着やネジ止めして構成されても良いし、両面テープで固定しても良いし、金型加工によりフロントキャビネット２と一体的に製造されても良い。
【００３８】
以上、説明したように本発明の第３の実施形態の液晶表示装置１は、光学シート群の位置決めを行う部材に熱膨張した光学シート群１３を受け止める曲面形状を構成して、光学シート群１３に撓みを生じないように熱膨張の力を逃がしつつ受け止め、高品質な映像を表示するものである。
【００３９】
光学シート群１３の左右の側辺の凹部１４以外の辺が熱膨張により伸長した場合は、第１の実施形態と同様に緩衝部２ａによって、受け止められる。すなわち光学シート群１３の両側辺の端部と、緩衝部２ａおよびフロントキャビネット２の内面との距離は第１の実施形態の液晶表示装置１と同じであるので、本発明の第３の実施形態による液晶表示装置１も狭額縁化を実現できる。
【００４０】
なお図７、図８には、フロントキャビネット２の内面に曲面形状の緩衝部２ａを形成し、位置決め部１２に曲面形状の緩衝部１２ａを形成する例を図示し説明したが、フロントキャビネット２の内面に傾斜形状の緩衝部２ｂを形成し、位置決め部１２に曲面形状の緩衝部１２ａを形成しても良いし、フロントキャビネット２の内面に傾斜形状の緩衝部２ａを形成し、位置決め部１２に傾斜形状の緩衝部１２ｂを形成しても良いし、フロントキャビネット２の内面に傾斜形状の緩衝部２ｂを形成し、位置決め部１２に傾斜形状の緩衝部１２ｂを形成しても良い。
【００４１】
［第４の実施形態］
第１から第３の実施形態の液晶表示装置１は、バックライトの光源であるＬＥＤを液晶パネル３の周縁下辺部に配置するエッジライト型液晶表示装置であった。それに対して第４の実施形態の液晶表示装置１は、バックライトの光源であるＬＥＤを液晶パネル３の背面に配置する直下型液晶表示装置である。
【００４２】
本発明の第４の実施形態の液晶表示装置１を図９に示す。図９(ａ)は第４の実施形態の液晶表示装置１の光学シート６が熱膨張する前の状態を示し、図９(ｂ)は第４の実施形態の液晶表示装置１が高温下に置かれ、光学シート群６が熱膨張した状態を示した図である。図９で第１から第３の実施形態と同じ構成については、同一の符号を付し説明を省略する。第４の実施形態の液晶表示装置１の液晶パネルモジュール２１は、液晶パネル３、光学シート群６の他に、ＬＥＤ素子２２と、ＬＥＤ素子２２の前面を覆うレンズ２３と、ＬＥＤ素子２２の後面に配置される反射シート２４と、拡散板２５と、バックライトシャーシ２６を構成する。ＬＥＤ素子２２から照射された光の一部は、直接拡散板２５に到達し、一部は反射シート２４で反射されてから拡散板２５に到達する。拡散板２５に到達した光は、光学シート群６によって偏光などを受けて均一化され、液晶パネル３に照射される。なおバックライトシャーシ２６は、光学シート群６、反射シート２４、拡散板２５などを格納し、また受信部や電源基板などがねじ止めにより固定される。
【００４３】
図９に示すように第４の実施形態の液晶表示装置１も、第１の実施形態の液晶表示装置１と同様にフロントキャビネットの内面に曲面状をした緩衝部２ａを形成して、熱膨張により伸長した光学シート群６を液晶表示装置１の背面方向へ曲げて受け止めるものである。第４の実施形態の液晶表示装置１も緩衝部２ａをフロントキャビネット２の内面に形成するので、特許文献１のようにシートホルダを配置するスペースを必要とせず、狭額縁化を実現できる。
【００４４】
また第２、第３の実施形態も、バックライトの光源であるＬＥＤを液晶パネル３の背面に配置する直下型液晶表示装置によって同様に実施可能である。
【００４５】
また上述した第１から第４の実施形態では、緩衝部２ａ、２ｂをフロントキャビネット２の短辺の内面に形成したが、長辺の内面に形成してもよい。
【００４６】
また上述した第１から第４の実施形態では、緩衝部１２を光学シートの短辺の端部に対向する位置に配置したが、光学シートの長辺の端部に配置してもよい。
【００４７】
また上述した第１から第４の実施形態では、フロントキャビネット２と、バックキャビネット５、バックライトシャーシ９は別部品として記載しているが、極度に狭額縁化された場合には、フロントキャビネット２とバックライトシャーシ９、もしくはフロントキャビネット２とバックキャビネット５が一体の部品、もしくはそれに類似した部品となったフロントキャビネットでも良い。一体成型でも、組立部材で構成されても良く、その場合の材質は樹脂、もしくは金属、もしくはその両方がある。
【産業上の利用可能性】
【００４８】
本発明は、液晶パネル用光学シートを有する液晶表示装置に利用することが可能である。
【符号の説明】
【００４９】
１、１０１  液晶表示装置
２  フロントキャビネット
２ａ、１２ａ  緩衝部
３  液晶パネル
４  スタンド
５  バックキャビネット
６、１３  光学シート群
７  導光板
８、２４、１１３  反射シート
９、２６、１１４  バックライトシャーシ
１０、２１  液晶パネルモジュール
１１  ネジ
１２  位置決め部
１４  凹部
２２  ＬＥＤ素子
２３  レンズ
１０２  ベゼル
１０３  表示パネル
１０４  バックライトユニット
１０５  フレーム
１０７、１０８、１０９  光学シート
１０７ａ、１０８ａ  短冊部
１１０  シートホルダ
２５、１１１  拡散板
１１２  蛍光ランプ
１１４ｂ  バックライトシャーシの底板部
１１４ｃ  バックライトシャーシの長辺側の側壁部
１１７  電極部ホルダ
【図１】
2014021220.tif 000003
【図２】
2014021220.tif 000004
【図３】
2014021220.tif 000005
【図４】
2014021220.tif 000006
【図５】
2014021220.tif 000007
【図６】
2014021220.tif 000008
【図７】
2014021220.tif 000009
【図８】
2014021220.tif 000010
【図９】
2014021220.tif 000011
【図１０】
2014021220.tif 000012